(57)【要約】【課題】効率よく歯面を清掃できる歯ブラシおよびこの歯ブラシの製造方法を提供する。【解決手段】歯ブラシ１は、ブラシヘッド４０、ブラシ毛５０、沈着物除去部６０、および舌清掃部７０を有する。舌清掃部７０は、舌から舌垢を除去する構造を有する。ブラシヘッド４０は、正面４１Ａおよび背面４１Ｂを有する。ブラシ毛５０は、正面４１Ａに取り付けられる。沈着物除去部６０は、背面４１Ｂに取り付けられる。舌清掃部７０は、背面に取り付けられる。沈着物除去部６０は、研磨剤を含む材料により形成される。沈着物除去部６０は、ブラシヘッド４０、ブラシ毛５０、および舌清掃部７０とは別に成型される。【選択図】図１
2014050641.tif 000002
【特許請求の範囲】
【請求項１】
ブラシヘッド、ブラシ毛、および沈着物除去部を有する歯ブラシであって、
前記歯ブラシは、舌清掃部を有し、
前記舌清掃部は、舌から舌垢を除去する構造を有し、
前記ブラシヘッドは、前記ブラシ毛および前記沈着物除去部が取り付けられる正面、および前記舌清掃部が取り付けられる背面を有し、
前記沈着物除去部は、研磨剤を含む材料により形成されるとともに、前記ブラシヘッド、前記ブラシ毛、および前記舌清掃部とは別に成型される
歯ブラシ。
【請求項２】
前記歯ブラシは、除去部挿入穴、および背面カバーを有し、
前記除去部挿入穴は、前記ブラシヘッドに形成されるとともに前記沈着物除去部を挿入することができる大きさの径を有し、
前記背面カバーは、前記除去部挿入穴を覆う形状を有し、
前記舌清掃部は、前記除去部挿入穴および前記背面カバーの周辺に取り付けられる
請求項１に記載の歯ブラシ。
【請求項３】
歯ブラシの製造方法であって、
前記歯ブラシは、ブラシヘッド、ブラシ毛、舌清掃部、および沈着物除去部を有し、
前記ブラシヘッドは、前記ブラシ毛および前記沈着物除去部が取り付けられる正面および前記舌清掃部が取り付けられる背面を有し、
前記舌清掃部は、舌から舌垢を除去する構造を有し、
前記沈着物除去部は、研磨剤を含む材料により形成されるとともに、前記ブラシヘッド、前記ブラシ毛、および前記舌清掃部とは別に成型され、
前記歯ブラシの製造方法は、前記ブラシヘッドに前記舌清掃部を溶着する工程と、
前記舌清掃部が溶着された前記ブラシヘッドに前記沈着物除去部を溶着する工程と
を含む歯ブラシの製造方法。
【発明の詳細な説明】
【技術分野】
【０００１】
本技術は、ブラシヘッド、ブラシ毛、舌清掃部、および沈着物除去部を有する歯ブラシ、および歯ブラシの製造方法の分野に属する。
【背景技術】
【０００２】
特許文献１は、従来の歯ブラシの一例を開示している。図８は、特許文献１の歯ブラシ１００を示している。歯ブラシ１００は、頭部１１０、毛１２０、および研磨部材１３０を有する。毛１２０は、歯垢を除去する。毛１２０は、頭部１１０の正面に取り付けられる。研磨部材１３０は、歯面の沈着物を除去する。研磨部材１３０は、頭部１１０の背面を含む部分に取り付けられる。
【先行技術文献】
【特許文献】
【０００３】
【特許文献１】特開２００７−５４６２５号公報
【発明の概要】
【発明が解決しようとする課題】
【０００４】
歯ブラシ１００は、歯垢を除去するときに頭部１１０の正面に取り付けられた毛１２０を歯面に擦り付ける。歯ブラシ１００は、歯面に付着した沈着物を除去するときに頭部１１０の背面を含む部分に取り付けられた研磨部材１３０を歯面に擦り付ける。このため、歯ブラシ１００は操作が煩雑となり効率よく歯面を清掃できない。
【０００５】
本発明は、以上の背景をもとに創作されたものであり、効率よく歯面を清掃できる歯ブラシおよびこの歯ブラシの製造方法を提供することを目的とする。
【課題を解決するための手段】
【０００６】
第１の手段は、「ブラシヘッド、ブラシ毛、および沈着物除去部を有する歯ブラシであって、前記歯ブラシは、舌清掃部を有し、前記舌清掃部は、舌から舌垢を除去する構造を有し、前記ブラシヘッドは、前記ブラシ毛および前記沈着物除去部が取り付けられる正面、および前記舌清掃部が取り付けられる背面を有し、前記沈着物除去部は、研磨剤を含む材料により形成されるとともに、前記ブラシヘッド、前記ブラシ毛、および前記舌清掃部とは別に成型される歯ブラシ」を含む。
【０００７】
第２の手段は、「前記歯ブラシは、除去部挿入穴、および背面カバーを有し、前記除去部挿入穴は、前記ブラシヘッドに形成されるとともに前記沈着物除去部を挿入することができる大きさの径を有し、前記背面カバーは、前記除去部挿入穴を覆う形状を有し、前記舌清掃部は、前記除去部挿入穴および前記背面カバーの周辺に取り付けられる歯ブラシ」を含む。
【０００８】
第３の手段は、「歯ブラシの製造方法であって、前記歯ブラシは、ブラシヘッド、ブラシ毛、舌清掃部、および沈着物除去部を有し、前記ブラシヘッドは、前記ブラシ毛および前記沈着物除去部が取り付けられる正面および前記舌清掃部が取り付けられる背面を有し、前記舌清掃部は、舌から舌垢を除去する構造を有し、前記沈着物除去部は、研磨剤を含む材料により形成されるとともに、前記ブラシヘッド、前記ブラシ毛、および前記舌清掃部とは別に成型され、前記歯ブラシの製造方法は、前記ブラシヘッドに前記舌清掃部を溶着する工程と、前記舌清掃部が溶着された前記ブラシヘッドに前記沈着物除去部を溶着する工程とを含む歯ブラシの製造方法」を含む。
【発明の効果】
【０００９】
本歯ブラシは、歯面を効率よく清掃できる。
【図面の簡単な説明】
【００１０】
【図１】実施形態の歯ブラシに関する図であり、歯ブラシの断面構造を示す断面図。
【図２】実施形態の歯ブラシに関する図であり、そのブラシ体の断面構造を示す断面図。
【図３】実施形態の歯ブラシに関する図であり、そのブラシ体の背面構造を示す背面図。
【図４】図３のＤ４−Ｄ４線に沿う断面構造を示す断面図。
【図５】実施形態の歯ブラシに関する図であり、そのブラシ体の断面構造を示す断面図。
【図６】実施形態の歯ブラシに関する図であり、そのブラシ体の断面構造を示す断面図。
【図７】実施形態の歯ブラシに関する図であり、そのブラシ体の断面構造を示す断面図。
【図８】従来の歯ブラシに関する図であり、そのブラシヘッドの断面構造を示す断面図。
【発明を実施するための形態】
【００１１】
図１を参照して、歯ブラシ１の構成について説明する。
歯ブラシ１に関する方向について以下のとおり定義する。
（Ａ）Ｙ方向は、歯ブラシ１の長手方向を示す。
（Ｂ）Ｘ方向は、歯ブラシ１の側面視においてＹ方向と直交する方向を示す。
（Ｃ）前方向ＸＡは、Ｘ方向において、背面側から正面側に向かう方向を示す。
（Ｄ）後方向ＸＢは、Ｘ方向において、正面側から背面側に向かう方向を示す。
（Ｅ）上方向ＹＡは、Ｙ方向において、歯ブラシ１の底部から先端に向かう方向を示す。
（Ｆ）下方向ＹＢは、Ｙ方向において、歯ブラシ１の先端から底部に向かう方向を示す。
【００１２】
歯ブラシ１は、電池２により供給される電力によりブラシ体３０が振動する電動歯ブラシとしての構成を有する。
歯ブラシ１は、歯ブラシ本体１０およびブラシ体３０を有する。
【００１３】
歯ブラシ本体１０は、ユーザーが把持する部分として機能する。歯ブラシ本体１０は、ケース１１および通電部２０を有する。
ケース１１は、円筒形状を有する。ケース１１は、電池２および通電部２０を内部に収容する。通電部２０は、回路基板２１、電動モーター２２、駆動軸２３、本体電極２４、通電端子２５、および接続端子２６を有する。
【００１４】
回路基板２１は、電動モーター２２への電力の供給態様を制御する。電動モーター２２は、駆動軸２３を介してブラシ体３０に振動を付与する。駆動軸２３は、電動モーター２２が発生する振動をブラシ体３０に伝達する部分として機能する。駆動軸２３は、導電性の材料により形成される。本体電極２４は、ケース１１の外周面のうち、ユーザーにより把持される部分に固定される。本体電極２４は、電極突起部分２４Ａを有する。電極突起部分２４Ａは、ケース１１の外周面から前方向ＸＡに突出する形状を有する。電極突起部分２４Ａは、通電端子２５を介して回路基板２１と電気的に接続されている。通電端子２５は、本体電極２４と回路基板２１とを電気的に接続する機能を有する。接続端子２６は、駆動軸２３と回路基板２１とを電気的に接続する機能を有する。
【００１５】
図２を参照して、ブラシ体３０の構成について説明する。
ブラシ体３０は、歯ブラシ本体１０に取り付け可能な構造を有する。ブラシ体３０は、ブラシヘッド４０およびブラシネック８０を有する。
【００１６】
ブラシヘッド４０は、ヘッド基礎部４１、除去部挿入穴４２、ブラシ毛５０、沈着物除去部６０、および舌清掃部７０を有する。ブラシヘッド４０は、ブラシ体３０のうち、上方向ＹＡ側の端部を含む部分に形成される。
【００１７】
ヘッド基礎部４１は、ブラシ毛５０、沈着物除去部６０、および舌清掃部７０が取り付けられる部分として機能する。ヘッド基礎部４１は、ＡＢＳ樹脂により形成される。ヘッド基礎部４１は、正面４１Ａおよび背面４１Ｂを有する。正面４１Ａは、ヘッド基礎部４１のうち、前方向ＸＡ側の面を示す。背面４１Ｂは、ヘッド基礎部４１のうち、後方向ＸＢ側の面を示す。除去部挿入穴４２は、ヘッド基礎部４１に沈着物除去部６０を取り付ける部分として機能する。除去部挿入穴４２は、沈着物除去部６０を挿入することができる大きさの径を有する。除去部挿入穴４２は、ヘッド基礎部４１に形成される。除去部挿入穴４２は、段差部４３を有する。段差部４３は、沈着物除去部６０の位置決めをする機能を有する。
【００１８】
ブラシ毛５０は、歯垢を除去する部分として機能する。ブラシ毛５０は、複数のブリッスル束により形成される。ブラシ毛５０は、ヘッド基礎部４１の正面４１Ａに形成された複数の孔（図示略）に植毛される。
【００１９】
沈着物除去部６０は、歯面に付着したステイン等を除去する部分として機能する。沈着物除去部６０は、研磨剤を含む材料により形成される。沈着物除去部６０は、幅広部分６１および幅狭部分６２を有する。幅広部分６１は、段差部４３に当接する。幅広部分６１は段差部４３よりも大きい径を有する。幅狭部分６２は、段差部４３よりも小さい径を有する。
【００２０】
舌清掃部７０は、舌垢を除去する部分として機能する。舌清掃部７０は、非導電性のエラストマーにより形成される。舌清掃部７０は、清掃基礎部７１および接触部７２を有する。清掃基礎部７１は、ヘッド基礎部４１の背面４１Ｂに溶着されている。接触部７２は、ユーザーの舌に付着した舌垢をそぎ落とす部分として機能する。接触部７２は、ヘッド基礎部４１の背面４１Ｂから後方向ＸＢに突出する形状を有する。
【００２１】
ブラシネック８０は、ヘッド基礎部４１と一体的に形成される。ブラシネック８０は、ネック基礎部８１、背面カバー８２、および軸挿入穴８３を有する。
ネック基礎部８１は、ＡＢＳ樹脂により形成される。ネック基礎部８１は、ヘッド基礎部４１と一体的に形成される。背面カバー８２は、ネック基礎部８１に取り付けられる構造を有する。背面カバー８２はＡＢＳ樹脂により形成される。背面カバー８２は、除去部挿入穴４２に対応する形状を有する。
【００２２】
軸挿入穴８３は、駆動軸２３が挿入される部分として機能する。軸挿入穴８３は、ネック基礎部８１の下方向ＹＢ側の端面を含んで形成される。
図３および図４を参照して、舌清掃部７０が取り付けられる位置について説明する。
【００２３】
図３に示されるように、舌清掃部７０は、ヘッド基礎部４１の背面４１Ｂのうち、背面カバー８２の周辺の全体にわたり取り付けられる。
図４に示されるように、ヘッド基礎部４１の背面４１Ｂのうち、沈着物除去部６０と対向する位置に背面カバー８２が取り付けられる。すなわち、ヘッド基礎部４１の背面４１Ｂのうち沈着物除去部６０と対向する部分には、舌清掃部７０は取り付けられない。
【００２４】
図５〜図７を参照して、ブラシ体３０の製造工程について説明する。
ブラシ体３０の製造工程は、第１工程、第２工程、および第３工程を含む。第１工程は、図５に示される工程を示す。第２工程は、図６に示される工程を示す。第３工程は、図７に示される工程を示す。
【００２５】
第１工程においては、ヘッド基礎部４１およびネック基礎部８１が一体的に成型される。さらに第１工程においては、一体的に成型されたヘッド基礎部４１およびネック基礎部８１に舌清掃部７０が溶着される。
【００２６】
第２工程においては、ヘッド基礎部４１に沈着物除去部６０が固定される。沈着物除去部６０は、ヘッド基礎部４１の背面４１Ｂから除去部挿入穴４２を介して挿入される。沈着物除去部６０は、幅広部分６１が段差部４３に当接する位置まで挿入される。沈着物除去部６０は、ブラシヘッド４０および舌清掃部７０とは異なる金型により成型される。
【００２７】
第３工程においては、ネック基礎部８１に背面カバー８２が取り付けられる。背面カバー８２は、超音波溶着によりネック基礎部８１と溶着される。さらに、第３工程においては、ヘッド基礎部４１の正面４１Ａにブラシ毛５０が植毛される。
【００２８】
歯ブラシ１は、以下の効果を奏する。
（１）歯ブラシ１は、ブラシヘッド４０、ブラシ毛５０、沈着物除去部６０、および舌清掃部７０を有する。ブラシ毛５０は、ブラシヘッド４０の正面４１Ａに取り付けられる。沈着物除去部６０は、ブラシヘッド４０の正面４１Ａに取り付けられる。この構成によれば、ブラシ毛５０により歯垢を除去しながら、沈着物除去部６０により歯面に付着した沈着物を除去できる。すなわち、効率よく歯面の歯垢および沈着物を除去できる。
【００２９】
（２）沈着物除去部６０は、ブラシヘッド４０、ブラシ毛５０、および舌清掃部７０とは別に成型される。このため、歯ブラシ１を成型するための金型において、ブラシヘッド４０、ブラシ毛５０、および舌清掃部７０の金型とは別に、沈着物除去部６０の金型のみを単独で交換することができる。このため、金型が磨耗することに起因する沈着物除去部６０の寸法精度が低下することを抑制できる。
【００３０】
（３）歯ブラシ１は、特開２００７−５４６２５号公報が開示する歯ブラシ、すなわち、図８に示される歯ブラシ１００に対して有利な効果を有する。歯ブラシ１００は、頭部１１０と研磨部材１３０とを二色成型により成型する。すなわち、歯ブラシ１００は、同一の金型により頭部１１０と研磨部材１３０とを成型する。頭部１１０と研磨部材１３０とを成型する金型のうち、研磨部材１３０に対応する部分は、頭部１１０に対応する部分よりも磨耗しやすい。このため、歯ブラシ１００は、金型のうち、頭部１１０に対応する部分が磨耗していなくても、研磨部材１３０に対応する部分が磨耗したとき、金型全体を交換する必要がある。
【００３１】
一方、歯ブラシ１の沈着物除去部６０は、ブラシヘッド４０、ブラシ毛５０、および舌清掃部７０とは別の金型により成型される。このため、沈着物除去部６０に対応する金型のみを別途交換できる。これにより、歯ブラシ１の製造コストを低減できる。
【００３２】
（４）歯ブラシ１は、除去部挿入穴４２および背面カバー８２を有する。除去部挿入穴４２は、ブラシヘッド４０に形成される。除去部挿入穴４２は、沈着物除去部６０を挿入することができる大きさの径を有する。この構成によれば、除去部挿入穴４２を介して沈着物除去部６０をブラシヘッド４０に挿入することができる。そのため、歯ブラシ１をより簡単に製造できる。
【００３３】
本歯ブラシは、上記実施形態とは別の実施形態を含む。以下、その他の実施形態としての上記実施形態の変形例を示す。なお、以下の各変形例は、互いに組み合わせることもできる。
【００３４】
・実施形態の歯ブラシ１は、歯ブラシ本体１０とブラシ体３０とが別に成型される。一方、変形例の歯ブラシ１は、歯ブラシ本体１０とブラシ体３０とが一体的に成型される。
・実施形態の歯ブラシ１は、電動モーター２２により駆動軸２３を介してブラシ体３０に振動を付与する。一方、変形例の歯ブラシ１は、電磁ソレイノイドにより駆動軸２３を介してブラシ体３０に振動を付与する。
【００３５】
・実施形態の歯ブラシ１は、電動モーター２２を有する。一方、変形例の歯ブラシ１は、電動モーター２２を有さない。すなわち、変形例の歯ブラシ１は、ブラシ体３０が振動しない。
【符号の説明】
【００３６】
１…電動歯ブラシ、２…電池、１０…歯ブラシ本体、１１…ケース、２０…通電部、２１…回路基板、２２…電動モーター、２３…駆動軸、２４…本体電極、２４Ａ…電極突起部分、２５…通電端子、２６…接続端子、３０…ブラシ体、４０…ブラシヘッド、４１…ヘッド基礎部、４１Ａ…正面、４１Ｂ…背面、４２…除去部挿入穴、４３…段差部、５０…ブラシ毛、６０…沈着物除去部、６１…幅広部分、６２…幅狭部分、７０…舌清掃部、７１…清掃基礎部、７２…接触部、８０…ブラシネック、８１…ネック基礎部、８２…背面カバー、８３…軸挿入穴、８４Ａ…段差部、１００…歯ブラシ、１１０…頭部、１２０…毛、１３０…研磨部材。
【図１】
2014050641.tif 000003
【図２】
2014050641.tif 000004
【図３】
2014050641.tif 000005
【図４】
2014050641.tif 000006
【図５】
2014050641.tif 000007
【図６】
2014050641.tif 000008
【図７】
2014050641.tif 000009
【図８】
2014050641.tif 000010